(57)【要約】【課題】  オリフィスに対する異物排除を効果的に行え、オリフィスの復水排出流量を調節できると共にオリフィスを閉塞できるオリフィス式スチームトラップを提供する。【解決手段】  トラップケーシング１に形成した入口２と出口３の間にオリフィス５を有する隔壁４を設け、入口２側の復水をオリフィス５から出口３側に排出するものにおいて、トラップケーシング１に形成したネジ部９に対するトラップケーシング１の外部からのネジ進退操作によりオリフィス５内をオリフィス５の軸方向に進退してオリフィス５の異物を排除する異物排除部材７を設け、異物排除部材７の進退位置によりオリフィス５の復水排出流量を調節すると共に最前進位置でオリフィス５を閉塞する。【選択図】      図１
2008309290.tif 000002
【特許請求の範囲】
【請求項１】
トラップケーシングに形成した入口と出口の間の隔壁にオリフィスを設け、入口側の復水をオリフィスから出口側に排出するものにおいて、トラップケーシングに形成したネジ部に対するトラップケーシングの外部からのネジ進退操作によりオリフィス内をオリフィスの軸方向に進退してオリフィスの異物を排除する異物排除部材を設け、異物排除部材の進退位置によりオリフィスの復水排出流量を調節すると共に最前進位置でオリフィスを閉塞することを特徴とするオリフィス式スチームトラップ。
【発明の詳細な説明】
【技術分野】
【０００１】
本発明は、蒸気輸送管や蒸気使用機器等の蒸気配管系に発生する蒸気が凝縮した復水をオリフィスから自動的に系外に排出するオリフィス式スチームトラップに関し、特に、オリフィスに付着堆積する異物を排除する異物排除部材を備えたものに関する。
【背景技術】
【０００２】
従来のオリフィス式スチームトラップは、トラップケーシングに形成した入口と出口の間の隔壁にオリフィスを設け、入口側の復水をオリフィスから出口側に排出するものにおいて、オリフィスを通過する復水により転動する異物排除部材をオリフィス内に配置したものである。
【０００３】
上記従来のオリフィス式スチームトラップは、オリフィス内に配置した異物排除部材がオリフィスを通過する復水により転動することにより、オリフィスに付着堆積する異物を自動的に排除するものである。しかしながら、オリフィスに対する付着力の大きな異物や重量の大きな異物を排除できない問題点があった。また、排出すべき復水量に応じてオリフィスの復水排出流量を調節できない問題点があった。また、オリフィスを閉塞することができない問題点があつた。
【特許文献１】特開２００１−２７３９１
【発明の開示】
【発明が解決しようとする課題】
【０００４】
解決しようとする課題は、オリフィスに対する異物排除を効果的に行え、オリフィスの復水排出流量を調節できると共にオリフィスを閉塞できるオリフィス式スチームトラップを提供することである。
【課題を解決するための手段】
【０００５】
本発明は、トラップケーシングに形成した入口と出口の間の隔壁にオリフィスを設け、入口側の復水をオリフィスから出口側に排出するものにおいて、トラップケーシングに形成したネジ部に対するトラップケーシングの外部からのネジ進退操作によりオリフィス内をオリフィスの軸方向に進退してオリフィスの異物を排除する異物排除部材を設け、異物排除部材の進退位置によりオリフィスの復水排出流量を調節すると共に最前進位置でオリフィスを閉塞することを特徴とする。
【発明の効果】
【０００６】
本発明は、異物排除部材をネジ進退操作による大きな前進力で前進移動させることにより、オリフィスに対する付着力の大きな異物や重量の大きな異物を効果的に排除することができるという優れた効果を生じる。また、異物排除部材の進退位置によりオリフィスの復水排出流量を調節することができると共に最前進位置でオリフィスを閉塞することができるという優れた効果を生じる。
【発明を実施するための最良の形態】
【０００７】
本発明のオリフィス式スチームトラップは、トラップケーシングに形成したネジ部に対するトラップケーシングの外部からのネジ進退操作によりオリフィス内をオリフィスの軸方向に進退してオリフィスの異物を排除する異物排除部材を設け、異物排除部材の進退位置によりオリフィスの復水排出流量を調節するものである。そのため、異物排除部材をネジ進退操作による大きな前進力で前進移動させることができ、オリフィスに対する付着力の大きな異物や重量の大きな異物を効果的に排除することができる。また、異物排除部材の進退位置により、オリフィスと異物排除部材の間の流路面積を調節してオリフィスの復水排出流量を調節することができる。
【実施例１】
【０００８】
上記の技術的手段の具体例を示す実施例を説明する（図１参照）。オリフィス式スチームトラップのトラップケーシング１に入口２と出口３を同一軸上に形成する。入口２と出口３には配管接続用の雌ネジを形成する。入口２と出口３の間の隔壁４に入口２側の復水を出口３側に排出するオリフィス５を形成する。オリフィス５の入口２側に多数の貫通孔を有して復水中の異物を捕捉する円筒状のフィルタ６を配置する。フィルタ６の内周側は入口２と連通し外周側はオリフィス５を通して出口３と連通する。フィルタ６は金属製の濾し網を積層したり多数の貫通孔を有する発泡金属等で形成したりする。
【０００９】
オリフィス５の出口３側に略丸棒状の金属製の異物排除部材７を設ける。トラップケーシング１の上壁部にネジ孔８を貫通形成し、ネジ孔８に異物排除部材７の螺合部が螺合可能なネジ孔９を有する筒状保持部材１０を螺設する。異物排除部材７は筒状保持部材１０に形成したネジ孔９に対するトラップケーシング１の外部からのネジ進退操作によりオリフィス５を前進位置と後退位置とに渡って進退移動する。異物排除部材７は先端にオリフィス５の内径よりも僅かに小径の小径筒状部７ａと、小径筒状部７ａからテーパ状にオリフィス５の内径よりも拡大するテーパ状拡大部７ｂと、テーパ状拡大部７ｂから連続する大径部７ｃを有する。異物排除部材７は後端にドライバーやトルクレンチなどの操作具によりトラップケーシング１の外部から螺入操作及び螺脱操作するための操作部７ｄを有する。
【００１０】
異物排除部材７をネジ進退操作して最前進移動させたときに小径筒状部７ａがオリフィス５を貫通し、テーパ状拡大部７ｂがオリフィス５を閉塞する。異物排除部材７の前進移動の過程でオリフィス５に付着堆積した異物を排除する。また、異物排除部材７を最前進移動させたときにテーパ状拡大部７ｂでオリフィス５を閉塞することにより、オリフィス５の入口２側に復水を溜める。その後、異物排除部材７を後退移動させることにより、復水が一挙にオリフィス５を流下して前進移動では排除できなかった異物を効果的に排除することができる。また異物排除部材７の進退位置により、オリフィス５と小径筒状部７ａの間の流路面積を調節してオリフィス５の復水排出流量を調節する。筒状保持部材１０のネジ孔９の後方部位に筒状保持部材１０の内周面と異物排除部材７の外周面との間に環状のシール部材１１を配置し、筒状保持部材１０に押圧部材１２を螺入操作してシール部材１１を押圧することにより筒状保持部材１０と異物排除部材７の間を水密状態に保つ。
【００１１】
入口２から流入してきた復水はフィルタ６の内周側から外周側へと至る間にゴミや錆等の異物が捕捉され、オリフィス５から出口３へと流下する。フィルタ６で捕捉できない微細な異物がオリフィス５に付着堆積すると、異物排除部材７をネジ進退操作して前進移動させることによりオリフィス５の異物を排除する。また異物排除部材７の進退位置により、オリフィス５と小径筒状部７ａ及びテーパ状拡大部７ｂの間の流路面積を調節してオリフィス５の復水排出流量を調節したりオリフィス５を閉塞したりする。
【図面の簡単な説明】
【００１２】
【図１】本発明の実施例のオリフィス式スチームトラップの断面図。
【符号の説明】
【００１３】
１  トラップケーシング
２  入口
３  出口
４  隔壁
５  オリフィス
７  異物排除部材
７ａ  小径筒状部
７ｂ  テーパ状拡大部
９  ネジ孔
【図１】
2008309290.tif 000003